(57)【要約】【課題】  より合理的に構成された鐘体打撃装置を提供すること。【解決手段】  鐘体１００と、ハンマー２００と、ハンマーを駆動するソレノイド３００と、それらを支持する支持体４００とを備え、ハンマーが鐘体を打撃して共鳴音を発生する鐘体打撃装置において、鐘体は、ハンマー及びソレノイドを上から覆うように支持体に支持し、ハンマーは、支持体に支持した軸部２０１を中心に揺動するとともに、軸部を支点とする槓杆部２２０を備え、ソレノイドは、励起されると鉄芯３１０をその中心部分に引張るものであり、これを鉄芯が上下方向に移動するように支持体に支持し、鉄芯は、その上部を槓杆部に係止して、槓杆部に吊下げられた状態とし、ハンマーの自重によれば、ハンマーが鐘体から離れるとともに、鉄芯が持ち上げられるものとし、ソレノイドを励起すると、鉄芯が下に向って移動するとともにハンマーが持ち上げられて、鐘体が打撃される構成とした。【選択図】図３
2008185751.tif 000002
【特許請求の範囲】
【請求項１】
鐘体と、前記鐘体を打撃するハンマーと、前記ハンマーを駆動するソレノイドと、それらを支持する支持体とを備え、前記ハンマーが前記鐘体を打撃して共鳴音を発生する鐘体打撃装置において、
前記鐘体は、前記ハンマー及び前記ソレノイドを上から覆うように前記支持体に支持し、
前記ハンマーは、前記支持体に支持した軸部を中心に揺動するとともに、前記軸部を支点とする槓杆部を備え、
前記ソレノイドは、励起されると鉄芯をその中心部分に引張るものであり、これを前記鉄芯が上下方向に移動するように前記支持体に支持し、
前記鉄芯は、その上部を前記槓杆部に係止して、前記槓杆部に吊下げられた状態とし、
前記ハンマーの自重によれば、前記ハンマーが前記鐘体から離れるとともに、前記鉄芯が持ち上げられるものとし、
前記ソレノイドを励起すると、前記鉄芯が下に向って移動するとともに前記ハンマーが持ち上げられて、前記鐘体が打撃されることを特徴とする鐘体打撃装置。
【請求項２】
前記ハンマーは、その少なくとも一部を塑性変形可能とし、これを塑性変形することにより、前記鐘体を打撃する打撃圧を調整することができるようにしたことを特徴とする請求項１記載の鐘体打撃装置。
【発明の詳細な説明】
【技術分野】
【０００１】
本発明は、ハンマーが鐘体を打撃して共鳴音を発生する鐘体打撃装置に関する。
【背景技術】
【０００２】
一般に、共鳴音を発生する装置としては、ハンマーにて鐘体を打撃するものが知られている。ハンマーの駆動については、ソレノイドを用いる構成が広く採用されている。ソレノイドを用いてなる装置は、特許文献１乃至４にも開示されている。
【特許文献１】特開平５−５３５７１号公報
【特許文献２】特開平６−６４２９５号公報
【特許文献３】特開平１０−１０５１７６号公報
【特許文献４】特開平１１−１７５０５５号公報
【発明の開示】
【発明が解決しようとする課題】
【０００３】
鐘体打撃装置は、鐘体の音色が異なるものを複数設けて、メロディーを奏でるように構成することが可能である。また、からくり時計やオルゴール装置のパフォーマンスを向上するものとしても、広く利用されている。すなわち、この種の鐘体打撃装置の応用形態は、近年ますます多様化される傾向にあり、その性能についても、優れた共鳴音の発生能力を確保するとともに、汎用性、組立て性、及び装飾性の向上が重要な課題とされている。本発明は、かかる事情に鑑みてなされたものであり、その目的は、より合理的に構成された鐘体打撃装置を提供することである。
【課題を解決するための手段】
【０００４】
本願第１請求項に記載した発明は、鐘体と、前記鐘体を打撃するハンマーと、前記ハンマーを駆動するソレノイドと、それらを支持する支持体とを備え、前記ハンマーが前記鐘体を打撃して共鳴音を発生する鐘体打撃装置において、前記鐘体は、前記ハンマー及び前記ソレノイドを上から覆うように前記支持体に支持し、前記ハンマーは、前記支持体に支持した軸部を中心に揺動するとともに、前記軸部を支点とする槓杆部を備え、前記ソレノイドは、励起されると鉄芯をその中心部分に引張るものであり、これを前記鉄芯が上下方向に移動するように前記支持体に支持し、前記鉄芯は、その上部を前記槓杆部に係止して、前記槓杆部に吊下げられた状態とし、前記ハンマーの自重によれば、前記ハンマーが前記鐘体から離れるとともに、前記鉄芯が持ち上げられるものとし、前記ソレノイドを励起すると、前記鉄芯が下に向って移動するとともに前記ハンマーが持ち上げられて、前記鐘体が打撃される構成の鐘体打撃装置である。
【０００５】
本願第２請求項に記載した発明は、請求項１において、前記ハンマーは、その少なくとも一部を塑性変形可能とし、これを塑性変形することにより、前記鐘体を打撃する打撃圧を調整することができるようにした構成の鐘体打撃装置である。
【発明の効果】
【０００６】
本発明によれば、より合理的に構成された鐘体打撃装置をえることができる。
【発明を実施するための最良の形態】
【０００７】
以下に、本発明の実施例を図面に基づいて詳細に説明する。図１乃至図５に示す本例の鐘体打撃装置１は、鐘体１００と、鐘体１００を打撃するハンマー２００と、ハンマー２００を駆動するソレノイド３００と、それらを支持する支持体４００とを備え、ハンマー２００が鐘体１００を打撃して共鳴音を発生するものである。その外観は、樹木を呈するものとなっている。
【０００８】
鐘体１００は、金属製又は陶器製のコップ型のものであり、ハンマー２００及びソレノイド３００を上から覆うように支持体４００に支持されている。
【０００９】
ハンマー２００は、支持体４００に支持した軸部２０１を中心に揺動するものとなっている。このハンマー２００は、鐘体１００に当接してこれを打撃する金属製の打撃部２１０と、軸部２０１を支点とする槓杆部２２０とを備えている。
【００１０】
ソレノイド３００は、励起されると鉄芯３１０をその中心部分に引張るものである。このソレノイド３００は、細長いパイプ状のものであり、鉄芯３１０が上下方向に移動するように支持体４００に支持されている。
【００１１】
鉄芯３１０は、ソレノイド３００の中心に挿通されており、その上部３１１を槓杆部２２０に係止して、この槓杆部２２０に吊下げられた状態となっている。鉄芯３１０の上部３１１は、非磁性体（例えば真鍮）からなる部位となっており、この上部３１１には、ワッシャ３１２とワッシャ３１２を抜け止めするカシメ部３１３が設けられている。
【００１２】
槓杆部２２０は、その先端が二股の梁となっており、これが鉄芯３１０の上部３１１を挟むとともに、ワッシャ３１２を下から支える構造となっている。
【００１３】
本例の支持体４００は、台座部４１０と、台座部４１０から上方に直立する円筒部４２０と、円筒部４２０の上端に装着されるギボシ部４３０とを備えている。ソレノイド３００は、円筒部４２０の内部下方に収納されている。円筒部４２０の上方には、開口４２１が設けられており、ハンマー２００の軸部２０１は、開口４２１に装着された軸受部材４２２に支持されている。槓杆部２２０は、開口４２１から円筒部４２０の内部にもたらされている。また、鐘体１００は、円筒部４２０の上端に設けられた凸部４２３を挿通するものとなっており、凸部４２３にギボシ部４３０を装着して固定されている。
【００１４】
この鐘体打撃装置１は、ハンマー２００の自重によれば、ハンマー２００の打撃部２１０が鐘体１００から離れるとともに、鉄芯３１０が持ち上げられる。かかる状態において、打撃部２１０は、軸部２０１のおよそ真下に位置し、槓杆部２２０は、軸部２０１からおよそ水平方向に延びている（図３参照）。
【００１５】
そして、ソレノイド３００を励起すると、鉄芯３１０が下に向って移動するとともにハンマー２００が持ち上げられて、鐘体１００に打撃部２１０が追突し、鐘体１００が打撃される（図５参照）。
【００１６】
尚、本例のハンマー２００は、その少なくとも一部を塑性変形可能とし、これを塑性変形することにより、鐘体１００を打撃する打撃圧を調整することができるようにしたものである。具体的には、打撃部２１０と一体成形した金属製の連結部位２１１が塑性変形可能となっている。すなわち、鐘体１００を打撃する打撃圧は、ソレノイド３００の性能に依存するが、構成部品の寸法精度や組立て精度のバラツキによると、これが満足に設定され得ない場合もある。この点、本例によると、微調整が可能となるため、非常に便利である。
【００１７】
以上説明した本例の鐘体打撃装置は、支持体単位でユニット化したものであり、汎用性に優れたものとなっている。装飾性にも優れている。また、構造的にも簡素であり、構成部品の加工も容易である。ハンマーの自重を利用して、鉄芯が槓杆部に吊下げられた状態としたことによる効果である。尚、本例における各部の構成は、特許請求の範囲に記載した技術的範囲において適宜に設計変更が可能であり、図例説明したものに限定されないことは勿論である。
【産業上の利用可能性】
【００１８】
本発明の鐘体打撃装置は、共鳴音を発生する装置として好適に利用することが可能である。特に、鐘体の音色が異なるものを複数設けて、メロディーを奏でるように構成することも可能である。また、からくり時計やオルゴール装置のパフォーマンスを向上するものとしても、好適に利用することが可能である。
【図面の簡単な説明】
【００１９】
【図１】本発明の実施例に係り、鐘体打撃装置を示す正面図である。
【図２】本発明の実施例に係り、鐘体打撃装置の内部を示す正面図である。
【図３】本発明の実施例に係り、鐘体打撃装置を示す側面断面図である。
【図４】本発明の実施例に係り、図３のＸ−Ｘ矢視断面図であり、鐘体打撃装置を示す上面断面図である。
【図５】本発明の実施例に係り、鐘体打撃装置（ソレノイドを励起した状態）を示す側面断面図である。
【符号の説明】
【００２０】
１    鐘体打撃装置
１００    鐘体
２００    ハンマー
２０１    軸部
２１０    打撃部
２１１    連結部位
２２０    槓杆部
３００    ソレノイド
３１０    鉄芯
３１１    上部
３１２    ワッシャ
３１３    カシメ部
４００    支持体
４１０    台座部
４２０    円筒部
４２１    開口
４２２    軸受部材
４２３    凸部
４３０    ギボシ部
【図１】
2008185751.tif 000003
【図２】
2008185751.tif 000004
【図３】
2008185751.tif 000005
【図４】
2008185751.tif 000006
【図５】
2008185751.tif 000007